(57)【要約】【課題】扉の開放時に、ストライク板表面やトロヨケ凹部に、調整部が表出しないストライク穴調整機構を得る。【解決手段】ストライク穴調整機構１００において、開口枠１１に固定され扉１３から突出される錠ボルト２１の進入空間を有したトロヨケと、トロヨケを覆って固定され進入空間の一部分を開口させる開口穴を穿設したストライク板２５と、進入空間に移動自在に収容されることで錠ボルト２１との衝止面が開口穴で変位する調整ブロックと、トロヨケに扉厚み方向で複数並設されストライク板２５に覆われたトロヨケ側位置決め穴と、調整ブロックに扉厚み方向で複数並設されそれぞれがトロヨケ側位置決め穴の任意の１つと一致可能となったブロック側貫通穴と、トロヨケ側位置決め穴及びブロック側貫通穴に挿通されて調整ブロックの移動を規制するとともにストライク板２５に覆われる位置規制ピンとを設けた。【選択図】      図１
2008274554.tif 000002
【特許請求の範囲】
【請求項１】
扉が取り付けられる開口枠の縦の枠に固定され前記扉から突出される錠ボルトの進入空間を有したトロヨケと、
該トロヨケを覆って固定され前記進入空間の一部分を開口させる開口穴を穿設したストライク板と、
前記進入空間に、前記扉の厚み方向に移動自在に収容されることで前記錠ボルトとの衝止面が前記開口穴で変位する調整ブロックと、
前記トロヨケに、前記扉の厚み方向に複数並設され前記ストライク板に覆われたトロヨケ側位置決め穴と、
前記調整ブロックに、前記扉の厚み方向に複数並設されそれぞれが該トロヨケ側位置決め穴の任意の１つと一致可能となったブロック側貫通穴と、
前記トロヨケ側位置決め穴及び該ブロック側貫通穴に挿通されて前記調整ブロックの移動を規制するとともに挿通後端の頭部が前記ストライク板に覆われる位置規制ピンと、
を具備したことを特徴とするストライク穴調整機構。
【請求項２】
前記トロヨケ側位置決め穴及び該ブロック側貫通穴が、前記開口穴を挟み上下一対ずつ設けられたことを特徴とする請求項１記載のストライク穴調整機構。
【請求項３】
隣接する少なくとも２つの前記トロヨケ側位置決め穴が上下で重なり且つ横に偏芯したダルマ形状で形成され、
前記ブロック側貫通穴が、前記ダルマ形状の上下長に長さが等しい上下方向の長穴で形成されたことを特徴とする請求項１又は２記載のストライク穴調整機構。
【請求項４】
前記トロヨケ側位置決め穴が前記位置規制ピンの挿通後端の頭部と略同一径で形成され、
前記ブロック側貫通穴が該頭部より小径に形成されたことを特徴とする請求項１，２，３のいずれか１つに記載のストライク穴調整機構。
【請求項５】
前記衝止面が調整ブロックの移動方向両側の側面に形成され、且つ該調整ブロックが、移動方向中央部を通る上下方向の仮想線を境に非線対称に形成されたことを特徴とする請求項１，２，３，４のいずれか１つに記載のストライク穴調整機構。
【発明の詳細な説明】
【技術分野】
【０００１】
本発明は、扉開閉端から突出される錠ボルトの側部衝止位置が左右方向（扉厚み方向）に調整可能となるストライク穴調整機構に関する。
【背景技術】
【０００２】
扉は、扉開閉端から突出させたラッチボルト（デッドボルト兼用のものも含む）、デッドボルト、又はグレモン錠係止杆、或いはこれらを適宜組み合わせた施錠係止手段（以下、「錠ボルト」と言う）を、扉枠又は両開き扉の他の扉（以下、「非開閉体」と言う。）に係止して閉扉、施錠を可能とする。錠ボルトは、扉開閉端から突出され、非開閉体に固定したストライク板の開口穴であるストライク穴に進入することで、錠ボルト側部がストライク穴の衝止縁に当接して扉を開放不能に施錠する。
【０００３】
この種の施錠構造では、扉枠と扉との建て付けや、施錠装置の施工・製造誤差により、錠ボルトと衝止縁との間に隙間が生じ、その結果、風や振動によって扉にガタツキの生じる場合がある。このような不具合を解消したものに、例えば特許文献１に開示される調整式ストライクがある。この調整式ストライクは、調整用のねじをドライバ等の工具で回すだけで、錠ボルトに対する係合部（衝止縁）を有する内ケースの水平方向の位置を容易に調整でき、扉のガタツキを無くすように構成されている。
【特許文献１】特開平１０−１０２８３９号公報
【発明の開示】
【発明が解決しようとする課題】
【０００４】
しかしながら、上記した従来の調整式ストライクに採用されているストライク穴調整機構は、調整ねじの頭部に工具係着部を設け、その工具係着部を内ケース内に露出させているため、扉の開放時に、ストライク板を固定する螺合手段（ネジ）、調整ねじ等の多数のネジ類が表出し、見栄えを低下させる問題があった。また、扉の開放時に工具係着部（調整部）が表出することで、調整ねじが悪戯されることもあった。さらに、工具係着部を悪意で操作して扉にガタツキを生じさせれば、不正な施錠解除も可能となり、防犯性を低下させる虞もあった。また、錠ボルトに対する係合部を有する内ケースが板金部材等により箱状に形成されるため、錠ボルトの衝止強度を十分に高めることが困難であり、防犯性を低下させる要因ともなった。
【０００５】
本発明は上記状況に鑑みてなされたもので、扉の開放時に、ストライク板表面やトロヨケ凹部に、調整材が表出しないとともに、錠ボルトの衝止強度が高められるストライク穴調整機構を提供し、もって、見栄えの向上、調整部の悪戯防止、防犯性の向上を図ることを目的とする。
【課題を解決するための手段】
【０００６】
次に、上記の課題を解決するための手段を、実施の形態に対応する図面を参照して説明する。
本発明の請求項１記載のストライク穴調整機構は、扉が１３取り付けられる開口枠１１の縦の枠２３に固定され前記扉１３から突出される錠ボルト２１の進入空間４３を有したトロヨケ４１と、
該トロヨケ４１を覆って固定され前記進入空間４３の一部分を開口させる開口穴３１を穿設したストライク板２５と、
前記進入空間４３に、前記扉１３の厚みＴ方向に移動自在に収容されることで前記錠ボルト２１との衝止面５３が前記開口穴３１で変位する調整ブロック３３と、
前記トロヨケ４１に、前記扉１３の厚みＴ方向に複数並設され前記ストライク板２５に覆われたトロヨケ側位置決め穴５５と、
前記調整ブロック３３に、前記扉１３の厚みＴ方向に複数並設されそれぞれが該トロヨケ側位置決め穴５５の任意の１つと一致可能となったブロック側貫通穴６３と、
前記トロヨケ側位置決め穴５５及び該ブロック側貫通穴６３に挿通されて前記調整ブロック３３の移動を規制するとともに挿通後端の頭部４９ａが前記ストライク板２５に覆われる位置規制ピン４９と、
を具備したことを特徴とする。
【０００７】
このストライク穴調整機構では、扉１３の開放時に、ストライク板表面やトロヨケ凹部に、位置規制ピン４９の頭部４９ａ（調整部）が表出しない。また、衝止面５３が調整ブロック３３に形成され、錠ボルト２１の衝止強度が高められる。
【０００８】
請求項２記載のストライク穴調整機構は、前記トロヨケ側位置決め穴５５及び該ブロック側貫通穴６３が、前記開口穴３１を挟み上下一対ずつ設けられたことを特徴とする。
【０００９】
このストライク穴調整機構では、調整ブロック３３が上下両端で位置固定・位置固定解除可能となり、調整ブロック３３の固定強度が高められるとともに、調整ブロック３３の上下端が位置規制ピン４９の抜脱によって自由端となり移動が容易となる。
【００１０】
請求項３記載のストライク穴調整機構は、隣接する少なくとも２つの前記トロヨケ側位置決め穴５５が上下で重なり且つ横に偏芯したダルマ形状で形成され、
前記ブロック側貫通穴６３が、前記ダルマ形状の上下長に長さが等しい上下方向の長穴で形成されたことを特徴とする。
【００１１】
このストライク穴調整機構では、トロヨケ側位置決め穴５５を重ねない場合に比べ、トロヨケ側位置決め穴５５の配設上下長が短縮可能となる。また、上下いずれのトロヨケ側位置決め穴５５に挿通した位置規制ピン４９も長穴に挿通可能となる。
【００１２】
請求項４記載のストライク穴調整機構は、前記トロヨケ側位置決め穴５５が前記位置規制ピン４９の挿通後端の頭部４９ａと略同一径で形成され、
前記ブロック側貫通穴６３が該頭部４９ａより小径な前記位置規制ピン４９軸部の径と同等な径に形成されたことを特徴とする。
【００１３】
このストライク穴調整機構では、位置規制ピン４９の頭部４９ａがブロック側貫通穴６３に当接してそれ以上の進入が防止されるとともに、その頭部４９ａがトロヨケ側位置決め穴５５の内周に当接して移動規制される。また、頭部４９ａの厚みが、トロヨケ側位置決め穴５５の穿設部４２と同一厚に設定されれば、頭部４９ａが当該穿設部４２の厚み内に収容可能となる。
【００１４】
請求項５記載のストライク穴調整機構は、前記衝止面５３が調整ブロック３３の移動方向両側の側面に形成され、且つ該調整ブロック３３が、移動方向中央部を通る上下方向の仮想線を境に非線対称に形成されたことを特徴とする。
【００１５】
このストライク穴調整機構では、調整ブロック３３を上下反転させて用いることで、衝止面５３が異なる位置に変位する。
【発明の効果】
【００１６】
本発明に係る請求項１記載のストライク穴調整機構によれば、トロヨケの進入空間に移動自在に収容されることで衝止面がストライク板の開口穴で変位する調整ブロックと、ストライクに覆われたトロヨケ側位置決め穴と、それぞれがトロヨケ側位置決め穴の任意の１つと一致可能となったブロック側貫通穴と、トロヨケ側位置決め穴及びブロック側貫通穴に挿通されてストライク板に覆われる位置規制ピンとを備えたので、扉の開放時に、ストライク板表面やトロヨケ凹部に、位置規制ピンの頭部（調整部）が表出せず、見栄えを良くすることができる。また、調整部が悪戯されることも防止できる。さらに、調整部を悪意で操作して扉にガタツキを生じさせることが困難となるので、防犯性も向上させることができる。また、衝止面が調整ブロックに形成されるので、錠ボルトの衝止強度を高めることができ、これによっても防犯性を向上させることができる。
【００１７】
請求項２記載のストライク穴調整機構によれば、トロヨケ側位置決め穴及びブロック側貫通穴が、開口穴を挟み上下一対ずつ設けられたので、調整ブロックが上下両端で位置固定・位置固定解除でき、調整ブロックの固定強度を高めることができるとともに、調整ブロックの位置調整のための移動もスムースにすることができる。
【００１８】
請求項３記載のストライク穴調整機構によれば、隣接する少なくとも２つのトロヨケ側位置決め穴が上下で重なり且つ横に偏芯したダルマ形状で形成され、ブロック側貫通穴が、ダルマ形状の上下長に長さが等しい上下方向の長穴で形成されたので、トロヨケ側位置決め穴を重ねない場合に比べ上下長を短縮して部品のコンパクト化が可能になるとともに、上下いずれのトロヨケ側位置決め穴に挿通した位置規制ピンも長穴によって調整ブロックへ貫通させることができる。
【００１９】
請求項４記載のストライク穴調整機構によれば、トロヨケ側位置決め穴が位置規制ピンの挿通後端の頭部と略同一径で形成され、ブロック側貫通穴が頭部より小径に形成されたので、調整ブロックに挿通された位置規制ピンが頭部をブロック側貫通穴に当接してそれ以上の進入が防止されるとともに、その頭部がトロヨケ側位置決め穴の内周に当接して移動規制され、且つ頭部の厚みを、トロヨケ側位置決め穴の穿設部と同一厚とすることにより、頭部を当該穿設部の厚み内に収容するコンパクトな係止収容構造にて、ストライク板で覆うことができる。
【００２０】
請求項５記載のストライク穴調整機構によれば、衝止面が調整ブロックの移動方向両側の側面に形成され、且つ調整ブロックが、移動方向中央部を通る上下方向の仮想線を境に非線対称に形成されたので、調整ブロックを上下反転させて用いることで、衝止面を異なる位置に変位させて使用することができ、調整可能寸法を増やすことができる。
【発明を実施するための最良の形態】
【００２１】
以下、本発明に係るストライク穴調整機構の好適な実施の形態を図面を参照して詳細に説明する。
図１は扉と共に表した本発明に係るストライク穴調整機構の外観斜視図である。
扉１３が取り付けられる建物の開口枠１１の縦の枠２３には後述のトロヨケ４１（図２参照）を覆うストライク板２５がビス２７，２７によって固定され、ストライク板には扉１３から突出される錠ボルト２１が進入する。本実施の形態に係るストライク穴調整機構１００は、このストライク板２５をカバー構成部材として有し、このストライク板２５に主要部が覆われる。錠ボルト２１は、扉１３の木口１５に、ビス１９，１９によって固定された錠箱フロントパネル１７から突出され、係合面２１ａと傾斜面２１ｂが形成されている。
【００２２】
図２はストライク穴調整機構の外観斜視図である。
枠縁に沿うストライク板２５の縦辺部にはＲ曲げ部２９が形成され、Ｒ曲げ部２９は錠ボルト２１の傾斜面２１ｂと衝接する。ストライク板２５には錠ボルト２１の進入する開口穴３１が形成される。開口穴３１には後述する調整ブロック３３が表出し、調整ブロック３３は錠ボルト２１の係合面２１ａが当たる後述の衝止面５３（図３参照）を有する。なお、図２中、３５はトロヨケ４１の進入空間４３（図３参照）を構成する内壁の一部分を表す。
【００２３】
図３は閉止状態の扉と共に表したストライク穴調整機構の水平断面図である。
開口枠１１の縦の枠２３には扉当たり部３７が形成され、扉当たり部３７はガスケット３９を有する。扉１３は、一方の面１３ａの周縁がこのガスケット３９を介して扉当たり部３７に当たる。扉１３は、突出した錠ボルト２１がトロヨケ４１の進入空間４３に進入して、係合面２１ａが調整ブロック３３の衝止面５３に当接することで閉止される。
【００２４】
なお、図３中、５５ａ，５５ｃは後述するトロヨケ側位置決め穴、６３は後述するブロック側貫通穴、４９は後述する位置規制ピン、４９ａは位置規制ピンの頭部、４９ｂは位置規制ピンの軸部を表す。
【００２５】
図４は図３に示したストライク穴調整機構の分解斜視図、図５はストライク穴調整機構の正面視を（ａ）、そのＡ−Ａ矢視を（ｂ）で表した構成説明図である。
トロヨケ４１には進入空間４３の開口縁上下に鍔部４２，４２が張り出され、鍔部４２，４２は取付穴４１ａ，貫通穴４１ｂを有する。トロヨケ４１は、鍔部４２，４２の取付穴４１ａに挿通される固定ネジ５７によって縦の枠２３に固定される。縦の枠２３に固定されたトロヨケ４１の表面側には、ストライク板２５の貫通穴２９ａ，２９ａを貫通し、貫通穴４１ｂに挿通されるネジ２７によって、更にストライク板２５が覆うように取り付けられる。ストライク板２５によって覆われたトロヨケ４１は、進入空間４３の一部分（中央部分）がストライク板２５の開口穴３１から露出されるようになっている。
【００２６】
進入空間４３には調整ブロック３３が収容され、調整ブロック３３は扉１３の厚み方向Ｔ（図５参照）に移動自在となる。調整ブロック３３は、移動自在に収容されることで錠ボルト２１との衝止面５３が開口穴３１で変位するようになっている。調整ブロック３３は、ステンレス鋼、或いは滑り性を有し且つ硬質な合成樹脂材料からなる。
【００２７】
調整ブロック３３には中央ブロック部５９を挟む上下側に上下ブロック部６１，６１が連設され、上下ブロック６１，６１が進入空間４３の天面と底面とに摺接して移動する。この上下ブロック部６１，６１にはブロック側貫通穴６３が穿設され、ブロック側貫通穴６３は、扉１３の厚みＴ方向に複数並設された第１ブロック側貫通穴６３ａ、第２ブロック側貫通穴６３ｂとからなる。これら第１ブロック側貫通穴６３ａ、第２ブロック側貫通穴６３ｂは、後述する複数のトロヨケ側位置決め穴５５の任意の１つと一致可能となっている。
【００２８】
調整ブロック３３は、衝止面５３（衝止面５３ａ，５３ｂ）が移動方向両側の側面（中央ブロック部５９の側面）に形成される。また、調整ブロック３３は、移動方向中央部を通る上下方向の仮想線を境に左右が非線対称に形成されている。これにより、調整ブロック３３を上下反転させて用いることで、衝止面５３ａ，５３ｂが異なる位置に変位する。つまり、両側の衝止面５３ａ，５３ｂを異なる位置に変位させて使用することができ、調整可能寸法を増やすことができるようになっている。
【００２９】
トロヨケ４１の鍔部４２，４２にはトロヨケ側位置決め穴５５が扉１３の厚みＴ方向に複数並設されている。トロヨケ側位置決め穴５５は、Ｒ曲げ部２９側から第１トロヨケ側位置決め穴５５ａ、第２トロヨケ側位置決め穴５５ｂ、第３トロヨケ側位置決め穴５５ｃ、第４トロヨケ側位置決め穴５５ｄの順で配設されている。
【００３０】
本実施の形態では、隣接する少なくとも２つの第１トロヨケ側位置決め穴５５ａと第２トロヨケ側位置決め穴５５ｂ、また、第３トロヨケ側位置決め穴５５ｃと第４トロヨケ側位置決め穴５５ｄが、上下で重なり且つ横に偏芯したダルマ形状で形成されている。一方、第１ブロック側貫通穴６３ａ、第２ブロック側貫通穴６３ｂは、このダルマ形状の上下長に長さが等しい上下方向の長穴で形成されている。本実施の形態では、このように、隣接する少なくとも２つのトロヨケ側位置決め穴５５ａ，５５ｂ、また、穴５５ｃ，５５ｄが、上下で重なり且つ横に偏芯したダルマ形状で形成されるとともに、ブロック側貫通穴６３が長穴で形成されたので、トロヨケ側位置決め穴５５を重ねない場合に比べ上下長を短縮して部品（トロヨケ４１）のコンパクト化が可能になるとともに、上下いずれのトロヨケ側位置決め穴５５に挿通した位置規制ピン４９も、長穴（第１ブロック側貫通穴６３ａ、第２ブロック側貫通穴６３ｂ）によって調整ブロック３３へ貫通させることができるようになっている。
【００３１】
また、トロヨケ４１の進入空間４３の底板には、トロヨケ側位置決め穴５５に対応して同中心の位置とされる底板側位置決め穴５６が穿設される。底板側位置決め穴５６は、第１底板側位置決め穴５６ａ、第２底板側位置決め穴５６ｂ、第３底板側位置決め穴５６ｃ、第４底板側位置決め穴５６ｄからなり、トロヨケ側位置決め穴５５より小径な位置規制ピン４９の軸部４９ｂの径と略同等となる径で形成されている。
【００３２】
また、トロヨケ側位置決め穴５５及びブロック側貫通穴６３は、開口穴３１を挟み上下一対ずつ設けられている。したがって、調整ブロック３３は、上下両端で位置固定・位置固定解除可能となり、固定強度が高められるとともに、調整ブロック３３の上下端が位置規制ピン４９の抜脱によって自由端となり移動が容易となる。これにより、位置調整のための移動がスムースに行えるようになっている。
【００３３】
位置規制ピン４９は、トロヨケ側位置決め穴５５及びブロック側貫通穴６３に挿通されて、調整ブロック３３の移動を規制するとともに、挿通後端の頭部４９ａがストライク板２５に覆われる。位置規制ピン４９は、頭部４９ａが軸部４９ｂより大径に形成される。
【００３４】
また、トロヨケ側位置決め穴５５は位置規制ピン４９の頭部４９ａと略同一径で形成され、ブロック側貫通穴６３は頭部４９ａより小径な軸部４９ｂの径と同等に形成されている。つまり、位置規制ピン４９の頭部４９ａがブロック側貫通穴６３に当接してそれ以上の進入が防止されるとともに、その頭部４９ａがトロヨケ側位置決め穴５５の内周に当接して移動規制される。また、頭部４９ａの厚みが、図例のようにトロヨケ側位置決め穴５５の穿設部（鍔部４２，４２）と同一厚に設定されれば、頭部４９ａが鍔部４２，４２の厚み内に収容可能となる。これにより、頭部４９ａを鍔部４２，４２の厚み内に収容するコンパクトな係止収容構造にて、ストライク板２５で覆うことができる。
【００３５】
次に、上記のように構成されたストライク穴調整機構の作用を説明する。
図６は調整ブロックと第１、第２トロヨケ側位置決め穴との固定状態を（ａ）（ｃ）の正面視、そのＢ−Ｂ、Ｃ−Ｃ断面を（ｂ）（ｄ）で表した動作説明図である。
ストライク穴調整機構１００では、図５に示すように、位置規制ピン４９が第３トロヨケ側位置決め穴５５ｃに挿通されることで、調整ブロック３３の上下ブロック部６１，６１の側面に当接し、調整ブロック３３の衝止面５３ａが開口穴３１の右端に配置される。つまり、開口穴３１が全開される。
【００３６】
ネジ２７が外され、ストライク板２５が除去された状態で、位置規制ピン４９が抜かれ、図６（ａ）（ｂ）に示すように、第１トロヨケ側位置決め穴５５ａと第１ブロック側貫通穴６３ａ、図６（ｃ）（ｄ）に示すように、第２トロヨケ側位置決め穴５５ｂと第１ブロック側貫通穴６３ａとに入れ替えて行くことにより、衝止面５３ａが順次左方へ変位する。この際の変位量は、上記のダルマ形状により略１ｍｍに設定可能となる。
【００３７】
図７は上下反転した調整ブロックと第１、第２トロヨケ側位置決め穴との固定状態を（ａ）（ｃ）の正面視、そのＤ−Ｄ、Ｅ−Ｅ断面を（ｂ）（ｄ）で表した動作説明図である。
次いで、調整ブロック３３が上下反転使用され、図７（ａ）（ｂ）に示すように、第１トロヨケ側位置決め穴５５ａと第１ブロック側貫通穴６３ａ、図７（ｃ）（ｄ）に示すように、第２トロヨケ側位置決め穴５５ｂと第１ブロック側貫通穴６３ａとに位置規制ピン４９を入れ替えて行くことにより、衝止面５３ｂがさらに左方へ変位する。この際の変位量も、略１ｍｍに設定可能となる。
【００３８】
図８は調整ブロックと第３、第４トロヨケ側位置決め穴との固定状態を（ａ）（ｃ）の正面視、そのＦ−Ｆ、Ｇ−Ｇ断面を（ｂ）（ｄ）で表した動作説明図である。
また、図８（ａ）（ｂ）に示すように、第３トロヨケ側位置決め穴５５ｃと第２ブロック側貫通穴６３ｂ、図８（ｃ）（ｄ）に示すように、第４トロヨケ側位置決め穴５５ｄと第２ブロック側貫通穴６３ｂとに位置規制ピン４９を入れ替えて行くことにより、衝止面５３ａがさらに左方へ変位する。この際の変位量も、略１ｍｍに設定可能となる。したがって、この例によれば、合計６ｍｍの変位で調整がなされることになる。そして、扉１３の開放時に、ストライク板２５の表面やトロヨケ凹部に、位置規制ピン４９の頭部４９ａ（調整部）が表出しない。また、衝止面５３が調整ブロック３３に形成され、錠ボルト２１の衝止強度が高められることとなる。
【００３９】
したがって、上記のストライク穴調整機構１００によれば、トロヨケ４１の進入空間４３に移動自在に収容されることで衝止面５３がストライク板２５の開口穴３１で変位する調整ブロック３３と、ストライク板２５に覆われたトロヨケ側位置決め穴５５と、それぞれがトロヨケ側位置決め穴５５の任意の１つと一致可能となったブロック側貫通穴６３と、トロヨケ４１の底板に穿設されてトロヨケ側位置決め穴５５に対応する底板側位置決め穴５６と、トロヨケ側位置決め穴５５、ブロック側貫通穴６３及び底板側位置決め穴５６に挿通されてストライク板２５に覆われる位置規制ピン４９とを備えたので、扉１３の開放時に、ストライク板２５の表面やトロヨケ凹部に、位置規制ピン４９の頭部４９ａ（調整部）が表出せず、見栄えを良くすることができる。また、調整部が悪戯されることも防止できる。さらに、調整部を悪意で操作して扉１３にガタツキを生じさせることが困難となるので、防犯性も向上させることができる。また、衝止面５３が調整ブロック３３に形成されるので、錠ボルト２１の衝止強度を高めることができ、これによっても防犯性を向上させることができる。特に、位置規制ピン４９が、トロヨケ側位置決め穴５５と底板側位置決め穴５６とにわたって貫通配置され、ブロック側貫通穴６３を貫通して調整ブロック３３がトロヨケ４１に収容されるので、調整ブロック３３は一対の位置規制ピン４９に支持されて位置固定されることとなる。これにより、錠ボルト２１の側圧が、調整ブロック３３で受けることが可能となるとともに、位置規制ピン４９の両端でトロヨケ４１に分散し、十分にその側圧を支持することが可能となる。
【００４０】
なお、上記の実施の形態では、ストライク板２５に錠ボルト２１のみが進入する構造を例に説明したが、本発明は、ラッチボルトとデッドボルトの２つ穴構造のストライク板及びトロヨケに、それぞれ採用されてもよい。
【００４１】
また、上記の実施の形態では、ストライク板２５に錠ボルト２１が進入する構造を例に説明したが、本発明は、グレモン錠など、上下に進退する施解錠装置に用いても、上記と同様の効果を奏するものである。
【図面の簡単な説明】
【００４２】
【図１】扉と共に表した本発明に係るストライク穴調整機構の外観斜視図である。
【図２】ストライク穴調整機構の外観斜視図である。
【図３】閉止状態の扉と共に表したストライク穴調整機構の水平断面図である。
【図４】図３に示したストライク穴調整機構の分解斜視図である。
【図５】ストライク穴調整機構の正面視を（ａ）、そのＡ−Ａ矢視を（ｂ）で表した構成説明図である。
【図６】調整ブロックと第１、第２トロヨケ側位置決め穴との固定状態を（ａ）（ｃ）の正面視、そのＢ−Ｂ、Ｃ−Ｃ断面を（ｂ）（ｄ）で表した動作説明図である。
【図７】上下反転した調整ブロックと第１、第２トロヨケ側位置決め穴との固定状態を（ａ）（ｃ）の正面視、そのＤ−Ｄ、Ｅ−Ｅ断面を（ｂ）（ｄ）で表した動作説明図である。
【図８】調整ブロックと第３、第４トロヨケ側位置決め穴との固定状態を（ａ）（ｃ）の正面視、そのＦ−Ｆ、Ｇ−Ｇ断面を（ｂ）（ｄ）で表した動作説明図である。
【符号の説明】
【００４３】
１１…開口枠
１３…扉
２１…錠ボルト
２３…縦の枠
２５…ストライク板
３１…開口穴
３３…調整ブロック
４１…トロヨケ
４２…穿設部（鍔部）
４３…進入空間
４９…位置規制ピン
４９ａ…頭部
５３…衝止面
５５…トロヨケ側位置決め穴
６３…ブロック側貫通穴
１００…ストライク穴調整機構
Ｔ…扉の厚み方向
【図１】
2008274554.tif 000003
【図２】
2008274554.tif 000004
【図３】
2008274554.tif 000005
【図４】
2008274554.tif 000006
【図５】
2008274554.tif 000007
【図６】
2008274554.tif 000008
【図７】
2008274554.tif 000009
【図８】
2008274554.tif 000010